(57)【要約】【課題】  ウッドデッキの施工後に、簡単な作業によって特定のデッキ部材を根太材から取り外し、取り付けすることを可能とすることを目的とする。【解決手段】  底面２１の幅が上面２２の幅より短いデッキ部材を使用し、デッキ部材の側面の長手方向に設けられたスリット部に、長手方向と垂直になるように固定具のつば部６１を配置しビス５で固定具を固定することにより、デッキ部材を根太材４に固定させる。この状態から、ビス５を緩め固定具のつば部６１を９０度回転させると、固定具のつば部６１の短手方向の幅が隣合うデッキ部材の底面の幅W２より短いため、デッキ部材を係止固定するものはなくデッキ部材を自由に取り外すことができる。再度取り付ける場合は、固定具のつば部６１を９０度回転させ、ボルトで固定具を固定することによって、デッキ部材を根太材４に取り付けることができる。【選択図】  図３
2008075348.tif 000002
【特許請求の範囲】
【請求項１】
所要間隔に設置された根太材の上部に、複数のデッキ部材が直角に配置され、固定具及びビスにより固定されているウッドデッキであって、
前記デッキ部材は、側面の長手方向にスリット部を有し底面の幅が上面の幅より短く、
前記固定具は、土台部と該土台部の上部に設けられて前記スリット部内に配置されるつば部からなり、前記土台部及び前記つば部を貫通する貫通孔を有しており、
前記ビスは、前記貫通孔に挿通されて前記根太材に挿入されており、
前記つば部は、平面視における一方向の長さが、これと直角をなす他方向の長さよりも短くされるとともに、該一方向が前記デッキ部材の長手方向と直角をなす時に該デッキ部材を係止固定し、平行となった時にその係止固定を解除することを特徴とするウッドデッキ。
【請求項２】
前記根太材が、上面の長手方向に前記ビスのねじ部の直径よりも狭い幅のスリットを有することを特徴とする請求項１に記載のウッドデッキ。
【請求項３】
前記根太材のスリットに樹脂が充填されていることを特徴とする請求項２に記載のウッドデッキ。
【請求項４】
所要間隔に設置された根太材の上部に、複数のデッキ部材が直角に配置され、固定具及びビスにより固定されているウッドデッキの施工方法であって、
前記デッキ部材として、側面の長手方向にスリット部を有し、底面の幅が上面の幅より短いデッキ部材を用意し、
前記固定具として、土台部と該土台部の上部に設けられたつば部からなり、これらの土台部及びつば部を貫通する貫通孔を有しており、前記つば部の平面視における一方向の長さがこれと直角をなす他方向の長さよりも短い固定具を用意し、
前記つば部を前記スリット内に配置して、前記ビスを前記貫通孔に挿通して前記根太材に挿入する際に、該つば部の該一方向が前記デッキ部材の長手方向と直角をなすようにしてデッキ部材を係止固定することを特徴とするウッドデッキの施工方法。
【請求項５】
前記根太材が、上面の長手方向に前記ビスのねじ部の直径よりも狭い幅のスリットを有することを特徴とする請求項４に記載のウッドデッキの施工方法。
【請求項６】
前記根太材のスリットに樹脂が充填されていることを特徴とする請求項５に記載のウッドデッキの施工方法。
【請求項７】
側面の長手方向にスリットを有し、底面の幅が上面の幅よりも短いデッキ部材を根太材の上部に固定するために用いられる固定具であって、
土台部と該土台部の上部に設けられて前記スリット部内に配置されるつば部と、前記土台部及びつば部を貫通する貫通孔を有しており、
前記つば部は、平面視における一方向の長さがこれと直角をなす他方向の長さよりも短くされるともに、該一方向が前記デッキ部材の長手方向と直角をなす時に該デッキ部材を係止固定し、平行になった時に係止固定を解除することを特徴とする固定具。
【発明の詳細な説明】
【技術分野】
【０００１】
本発明は、デッキ部材の取り外しが容易になるように工夫されたウッドデッキおよびその施工方法ならびにその方法に用いる固定具に関するものである。
【背景技術】
【０００２】
近年オープンスペースとして、屋外に設置されるウッドデッキの需要は毎年着実に増加している。その中でも、木材のメンテナンスが不要なこと及び腐らないというメリットから、樹脂と木粉の合成木材（以下、合成木材という。）を用いたウッドデッキの需要が拡大している。
【０００３】
しかし、合成木材のデッキは強度がなく温度による伸び縮みが激しいという欠点がある。
また、強度を高めるために中を空洞にしているため、ビス打ちの加減が難しく、無理に上
から固定すると床板がめくれ上がったりする欠点がある。
【０００４】
これらの課題を解決すべく、合成木材のデッキ部材を用いたウッドデッキは、デッキ部材の側面を固定金具でとめる方法が主流となっている。
しかしながら、この方法は固定金具が一枚のデッキ部材だけでなく、隣接するデッキ部材も同時に固定しているために、デッキ部材をメンテナンス等で取り替える場合や、デッキ部材とデッキ部材の間から物を落とした場合など、デッキ部材の一部を取り外したい場合でも、すべてのデッキ部材を取り外す必要がありこのことが課題となっていた。
【０００５】
このような状況の下、これらの課題を解決すべくいくつかの施工方法や固定具が提案されている。
【０００６】
【特許文献１】特開２００３−３１４０３８号公報
【特許文献２】特開２００３−２７７１９号公報
【特許文献３】特開２００５−８３０１５号公報
【特許文献４】特開２００６−２０７３６３号公報
【０００７】
特許文献１の開示技術は、図１０に示すように、根太Ａの上部に複数のデッキ部材Ｂを隣り合うように載せて固定具ＣとボルトＤによって固定する。この場合、図１１に示すように、ボルトＤを外すことにより固定具が解除されデッキ部材Ｂを単体で外すことはできるが、再度取り付けを行う場合、固定具Ｃを隣合うデッキ部材Ｂの間に水平に設置する必要があるため非常に困難な作業となる。
【０００８】
特許文献２の開示技術は、図１２に示すように二個組み合わせて一対となる金属金具のつば部Ｅ１を隣合うデッキ部材の溝に振り分けて装着し、金属金具の底部Ｅ２を根太材の溝Ｆに挿入することにより、デッキ部材を固定する。この場合、デッキ部材を根太材から取り外したり、取り付けたりすることは理論上可能であるが、実現するには作業は困難になる。
【０００９】
特許文献３の開示技術は、図１３に示すように、デッキ材固定用ベースＧと、そのベースに着脱自在で隣合うデッキ部材の端部を固定するクリップＨからなる。デッキ材固定用ベースＧはボルトＩによって根太材に固定され、クリップＨはデッキ材固定用ベースＧに摺動可能な被係合部Ｈ１と隣合うデッキ部材を固定するつば部Ｈ２からなる。
図１４は根太材とデッキ部材が固定具で固定されたウッドデッキの断面図である。
この場合、デッキ部材を単体で取り付け、取り外しする場合はデッキ部材を長手方向にスライドして移動させる必要があり、面倒である上に取り外しのために広い作業空間が必要になり、設置される場所が限定されてしまう。
【００１０】
特許文献４の開示技術は、図１５に示すように、側面にスリットを有するデッキ部材ＪをＣ形チャネル部Ｋを有する根太材ＬにボルトＭで固定する。この場合、ボルトＭを根太材Ｌから外すことによって、デッキ部材Ｊを単体では外すことはできるが、再度取り付ける場合、ボルトの位置決めをする必要があり作業工数がかかるという問題点がある。
【発明の開示】
【発明が解決しようとする課題】
【００１１】
そこで本発明では、デッキ部材のメンテンスを行う場合、必要なデッキ部材のみを容易に取り外しすることができ、さらに再度容易に取り付けることもでき、実用性に非常に優れたウッドデッキおよびその施工方法ならびにその方法に用いる固定具を提案する。
【課題を解決するための手段】
【００１２】
請求項１に係る発明は、所要間隔に設置された根太材の上部に、複数のデッキ部材が直角に配置され、固定具及びビスにより固定されているウッドデッキであって、前記デッキ部材は、側面の長手方向にスリット部を有し底面の幅が上面の幅より短く、前記固定具は、土台部と該土台部の上部に設けられて前記スリット部内に配置されるつば部からなり、前記土台及び前記つば部を貫通する貫通孔を有しており、前記ビスは、前記貫通孔に挿通されて前記根太材に挿入されており、前記つば部は、平面視における一方向の長さが、これと直角をなす他方向の長さよりも短くされるとともに、該一方向が前記デッキ部材の長手方向と直角をなす時に該デッキ部材を係止固定し、平行となった時にその係止固定を解除することを特徴とするウッドデッキに関する。
【００１３】
請求項２に係る発明は、前記根太材が、上面の長手方向に前記ビスのねじ部の直径よりも狭い幅のスリットを有することを特徴とする請求項１に記載のウッドデッキに関する。
【００１４】
請求項３に係る発明は、前記根太材のスリットに樹脂が充填されていることを特徴とする請求項２に記載のウッドデッキに関する。
【００１５】
請求項４に係る発明は、所要間隔に設置された根太材の上部に、複数のデッキ部材が直角に配置され、固定具及びビスにより固定されているウッドデッキの施工方法であって、前記デッキ部材として、側面の長手方向にスリット部を有し底面の幅が上面の幅より短いデッキ部材を用意し、前記固定具として、土台部と該土台部の上部に設けられたつば部からなり、これらの土台部及びつば部を貫通する貫通孔を有しており、前記つば部の平面視における一方向の長さがこれと直角をなす他方向の長さよりも短い固定具を用意し、前記つば部を前記スリット内に配置して、前記ビスを前記貫通孔に挿通して前記根太材に挿入する際に、該つば部の該一方向が前記デッキ部材の長手方向と直角をなすようにしてデッキ部材を係止固定するウッドデッキの施工方法に関する。
【００１６】
請求項５に係る発明は、前記根太材が、上面の長手方向に前記ビスのねじ部の直径よりも狭い幅のスリットを有することを特徴とする請求項４に記載のウッドデッキの施工方法に関する。
【００１７】
請求項６に係る発明は、前記根太材のスリットに樹脂が充填されていることを特徴とする請求項５に記載のウッドデッキの施工方法に関する。
【００１８】
請求項７に係る発明は、側面の長手方向にスリットを有し底面の幅が上面の幅よりも短いデッキ部材を根太材の上部に固定するために用いられる固定具であって、土台部と該土台部の上部に設けられて前記スリット部内に配置されるつば部と、前記土台部及びつば部を貫通する貫通孔を有しており、前記つば部は、平面視における一方向の長さがこれと直角をなす他方向の長さよりも短くされるともに、該一方向が前記デッキ部材の長手方向と直角をなす時に該デッキ部材を係止固定し、平行になった時に係止固定を解除することを特徴とする固定具に関する。
【発明の効果】
【００１９】
請求項１に係る発明によれば、デッキ部材は側面の長手方向にスリット部を有し底面の幅が上面の幅より短く、固定具は、土台部と該土台部の上部に設けられてスリット部内に配置されるつば部からなり、これらの土台及びつば部を貫通する貫通孔を有しており、ビスは貫通孔に挿通されて根太材に挿入されており、つば部は、平面視における一方向の長さが、これと直角をなす他方向の長さよりも短くされるとともに、該一方向がデッキ部材の長手方向と直角をなす時にデッキ部材を係止固定し、平行となった時にその係止固定を解除するウッドデッキであることにより、固定具を根太材から抜き取ることなく、そのつば部を９０度回転させるだけで、必要なデッキ部材のみを、容易に取り外し取り付けることができる。
【００２０】
請求項２に係る発明によれば、根太材が上面の長手方向に前記ビスのねじ部の直径よりも狭い幅のスリットを有することにより、根太材にビス止めのための下穴を開ける必要がなくなりウッドデッキの組立ての作業効率を上げることができる。
【００２１】
請求項３に係る発明によれば、根太材の上面の長手方向のスリットに樹脂を充填することにより、スリット内に雨水が溜まるのを防ぐことができ、またビスがスリット方向にずれることも防止でき、ビスによる固定強度を向上させることができる。
【００２２】
請求項４に係る発明によれば、所要間隔に設置された根太材の上部に、複数のデッキ部材が直角に配置され、固定具及びビスにより固定されているウッドデッキの施工方法であって、デッキ部材として、側面の長手方向にスリット部を有し底面の幅が上面の幅より短いデッキ部材を用意し、固定具として、土台部と該土台部の上部に設けられたつば部からなり、これらの土台部及びつば部を貫通する貫通孔を有しており、平面視における一方向の長さがこれと直角をなす他方向の長さよりも短い固定具を用意し、つば部をスリット内に配置して、ビスを貫通孔に挿入する際に、該つば部の該一方向がデッキ部材の長手方向と直角をなすようにしてデッキ部材を係止固定することにより、固定具を根太材から抜き取ることなしで、容易にデッキ部材を取り付け、取り外しすることができるウッドデッキが得られる。
【００２３】
請求項５に係る発明によれば、根太材が上面の長手方向にビスのねじ部の直径よりも狭い幅のスリットを有することにより、根太材にビス止めのための下穴を開ける必要がなくなりウッドデッキ組立の作業効率を上げることができる。
【００２４】
請求項６に係る発明によれば、根太材の上面の長手方向のスリットに樹脂を充填することにより、スリット内に雨水が溜まるのを防ぐことができ、デッキ部材の腐食を防ぐことができる。またビスがスリット方向にずれることも防止でき、ビスによる固定強度を向上させることができる。
【００２５】
請求項７に係る発明によれば、固定具は土台部と該土台部の上部に設けられてスリット部内に配置されるつば部と、土台部及びつば部を貫通する貫通孔を有しており、つば部は、平面視における一方向の長さがこれと直角をなす他方向の長さよりも短くされるともに、該一方向がデッキ部材の長手方向と直角をなす時に該デッキ部材を係止固定し、平行になった時に係止固定を解除することにより、この固定具を用いて根太材に固定されたデッキ部材を根太材から取り外す作業を容易に行うことができる。
【発明を実施するための最良の形態】
【００２６】
以下、本発明の実施形態を図１〜図９を用いて説明する。
図１は、本発明に係るウッドデッキの一例を示す斜視図である。
図２は、本発明に係るデッキ部材の斜視図である。
図３は、本発明に係るウッドデッキの根太材にデッキ部材を固定した状態を示す断面正面図である。
図４は、本発明に係るウッドデッキの根太材からデッキ部材を取り外した状態を示す断面正面図である。
図５は、本発明に係る固定具の斜視図である。
図６は、本発明に係る別実施例の固定具の斜視図である。
図７は、本発明に係る別実施例の固定具の斜視図である。
図８は、本発明に係るスリットの入った根太材の斜視図である。
図９は、本発明に係るスリットの入った根太材に樹脂を充填した斜視図である。
【００２７】
まず、本発明に係るウッドデッキの基本構成から説明する。
ウッドデッキは図１に示すように、地面上に設置された束石１と、この束石１の上に立設された束３と、束３の上部に架設された根太材４と、根太材４の上部に固定されたデッキ部材２から構成されており、デッキ部材２は等間隔に配置された根太材４に対して直角に交差するように並設されている。
一般的に、隣り合うデッキ部材２の固定方式として、デッキ部材２の側面を固定具などで固定する横止め式と、床板の上からビスで固定する上止め式があるが、本発明では横止め式を採用する。
【００２８】
次に、本発明に係るウッドデッキの具体的な構成について説明する。
本発明では、デッキ部材２として図２に示すように底面２１の幅が上面２２の幅より短いタイプのデッキ部材２を使用する。デッキ部材２は、側面に長手方向のスリット部２５を有し、スリット部の底面２３は、後述する固定具６のつば部６１が係止できる程度に十分な長さである。
例えば、デッキ部材２の底面２１の幅は１３５ｍｍ、上面２２の幅は１４５ｍｍ、スリット部２４の幅は１５ｍｍに設定される。
【００２９】
複数のデッキ部材２を根太材４の上部に並べて配置するとき、隣合うデッキ部材２の隙間（上面間の隙間）は４〜５ｍｍが好ましく、デッキ部材２の素材は樹脂と木粉などを混合させた合成木材が好ましい。
【００３０】
固定具６は、図５に示すように平面視楕円状のつば部６１とその下方に設けられた円柱状の土台部６２が別体に形成されており、後述するビスを緩めることにより、つば部６１を水平面内で回転させることができる。またつば部６１と土台部６２はビス５を通すための上下方向の貫通孔６３を有している。つば部の長手方向の幅６Ａは、隣り合う２つのデッキ部材２のスリット間の幅Ｗ１よりも短く、且つ底面の隙間Ｗ２よりも長い。また短手方向の幅６Ｂは、Ｗ２より短い。（図３参照）土台部６２の底面の直径は、隣り合うデッキ部材２の底面の隙間Ｗ２とほぼ等しく、高さはデッキ部材２の下部の高さＨとほぼ等しい。
【００３１】
図３は、デッキ部材２が固定具６により根太材４に固定されている状態を示している。
固定具６のつば部６１が、デッキ部材２のスリット部２５の長手方向に直角な状態で配置され、ビス５のねじ部が貫通孔６３を通って、根太材４に挿入されることにより、デッキ部材２が根太材４に対して固定されている。図４は、固定具６のつば部６１を図３の状態から水平面内で９０度回転させた状態を示した図である。この状態では、固定具６のつば部６１の短手方向の幅６Ｂが、隣合うデッキ部材２の底面の隙間よりも短いため、デッキ部材２を係止固定するものがなく、デッキ部材２の固定が解除され、根太材４から自由に取り外すことが可能になる。
【００３２】
つまり並設された多数のデッキ部材２からひとつのデッキ部材２を取り外す場合は、ビス５を緩めて取り外したいデッキ部材２の左右の固定具６のつば部６１を９０度回転させればよい。再度、取り外したデッキ部材２を取り付ける場合は、固定具６のつば部６１を９０度回転させ、ビス５を締め付けてつば部の回転を防ぐ。
【００３３】
根太材４の特質は、木材でも金属でもよいが、金属を使用する場合は、図８に示すように、上面の幅の中央に、長手方向のスリット部４１を有する根太材４を用いることが好ましい。このような根太材４はアルミニウムの押出成形により容易に製作することができる。スリット部４１の幅４Ａは、ビス５のねじ部の直径よりも短い。本発明では、このように根太材４にスリット部４１を設けることで、根太材４にビス５を打ち込むための下穴をあけることなく根太材４にビス５を挿入することができるため、施工効率を高めることができる。
【００３４】
さらに根太材４のスリット４１に、図９に示すように樹脂４２を充填すると、スリット内に雨水が溜まるのを防ぐことができ、デッキ部材２の腐食を防止することができる。またビス５がスリット方向にずれることも防止でき、ビス５による固定強度を向上させることができる。具体的には充填される樹脂４２は、シリコン系軟質樹脂などが好ましい。
【００３５】
別の実施例として、図６、図７のような固定具を使用してもよい。
図６に示す固定具６は平面視楕円状のつば部６１と、直方体の土台部６２が別体に形成されており、ビスを緩めることにより、つば部６１を水平面内で回転させることができる。図６に示す固定具６の土台部６１の横幅は、隣り合うデッキ部材２の底面の隙間Ｗ２とほぼ等しく、土台部６１の高さはデッキ部材の下部の高さＨとほぼ等しい。
図７に示す固定具６は、つば部６１と円柱状の土台部６２が一体になっており、分離することができず、ビスを緩めることにより、つば部６１と固定具６２が一体となった固定具６を水平面内で回転させることができる。図７に示す固定具のつば部６１の底面から土台部６２の底面までの高さは、デッキ部材の下部の高さＨとほぼ等しい。
【００３６】
また図６、図７に示す固定具も図５のものと同様に、つば部の長手方向の幅６Ａは、隣り合う２つのデッキ部材２のスリット間の幅Ｗ１よりも短く、且つ底面の隙間Ｗ２よりも長く、短手方向の幅６Ｂは底面の隙間Ｗ２より短い。またつば部６１と土台部６２にビス５を通す貫通孔６３を有している。
【００３７】
次に本発明に係るウッドデッキの施工方法について説明する。
施工に際して、必要数量のデッキ部材２、根太材４、束３、固定具６、及びビス５などを用意する。最初に、地面に束石１を設置し、その上に束３を立設し、束３の上部に複数の根太材４を所定間隔に架設する。根太材４は住宅や施設に備えるベランダやテラスなどの施工面に直接配置してもよい。
【００３８】
次に、設置された根太材４の上に複数のデッキ部材２を根太材４に対して直角に交差するように配置する。このとき、隣り合うデッキ部材２の上面同士の間には、４〜５ｍｍ程度の隙間をあけておくとよい。
次いで、固定具６とビス５を用いてデッキ部材２を根太材４に対して固定する。このとき、図３に示すように固定具６のつば部６１が、デッキ部材２の長手方向のスリット部２５と直角をなすように、固定具６を配置する。
【００３９】
そして、デッキ部材２を固定具６の貫通孔６３にビス５を通し、ドライバでビス５を根太材４に固定する。
これによって、固定具６のつば部６１の平面視における一方向の長さが、デッキ部材２の長手方向と直角をなすことにより、固定具６のつば部６１が係止の役割を果たすため、デッキ部材２が根太材４に対して固定される。
【００４０】
以上の動作を繰り返して複数のデッキ部材２を根太材４に対して並べて固定することによって、本実施形態に係る施工方法によるウッドデッキ１が得られる。
【００４１】
この場合、ウッドデッキの端側から１つのデッキ部材２を根太材４の上に直角に交差するように配置し、固定具６とビス５で固定するという動作を、すべてのデッキ部材２が根太材４の上に固定されるまで繰り返してもよいし、ウッドデッキの端側から１つのデッキ部材２を根太材４の上に配置し、固定具６とビス５で仮止めする動作を、すべてのデッキ部材２が根太材４の上に仮止めされるまで繰返してから、仮止めされた全ての固定具６をビス５で固定させてもよい。通常は前者の方法を用いるが、後者の方法の場合、全てのデッキ部材２を配置した後に、デッキ部材２の出入り調整を行なうことができるというメリットがある。
【００４２】
このようにして得られたウッドデッキによれば、デッキの汚れや破損のため、部分的にデッキ部材２を交換したい場合は、交換したいデッキ部材２の左右の隙間から、ドライバを差込み、ビス５を緩め、固定具６のつば部６１を９０度回転させることによって、デッキ部材２の係止は解除され、容易にデッキ部材２を取り外すことができる。再度デッキ部材２を取り付ける場合は、取り付けるデッキ部材２を、取り外したデッキ部材２の位置に配置し、固定具を９０度回転させて、隣り合うデッキ部材２の隙間から、ドライバを差し込みビス５で固定具６を締め付けて固定させる。
【００４３】
ここで図８に示すように、上面に長手方向のスリット部４１を設けた根太材４を使用すれば、ビス５の下穴を開ける必要がなく、作業効率が向上する。
さらに、図９に示すように根太材４のスリット部４１に樹脂を充填させておけば、スリット内に雨水が溜まるのを防ぐことができ、デッキ部材２の腐食を防止することができる。          またビス５がスリット方向にずれることも防止でき、ビス５による固定強度を向上させることができる。
【産業上の利用可能性】
【００４４】
本発明は、施工後にデッキ部材を部分的に取り外し、取り付けすることが容易なウッドデッキである。
【図面の簡単な説明】
【００４５】
【図１】本発明に係るウッドデッキの一例を示す斜視図である。
【図２】本発明に係るデッキ部材の斜視図である。
【図３】本発明に係るウッドデッキの根太材にデッキ部材を固定した状態を示す断面正面図である。
【図４】本発明に係るウッドデッキの根太材からデッキ部材を取り外した状態を示す断面正面図である。
【図５】本発明に係る固定具の斜視図である。
【図６】本発明に係る別実施例の固定具の斜視図である。
【図７】本発明に係る別実施例の固定具の斜視図である。
【図８】本発明に係るスリットの入った根太材の斜視図である。
【図９】本発明に係るスリットの入った根太材に樹脂を充填した斜視図である。
【図１０】従来のウッドデッキの根太材にデッキ部材を固定した状態を示す断面正面図である。
【図１１】従来のウッドデッキの根太材からデッキ部材を取り外した状態を示す断面正面図である。
【図１２】従来のウッドデッキの根太材からデッキ部材を取り外した状態を示す断面正面図である。
【図１３】従来の固定金具の斜視図である。
【図１４】従来のウッドデッキの根太材にデッキ部材を固定した状態を示す断面正面図である。
【図１５】従来のウッドデッキの根太材にデッキ部材を固定した状態を示す断面正面図である。
【符号の説明】
【００４６】
２    デッキ部材
２１  デッキ部材底面
２２  デッキ部材上面
２３  デッキ部材スリット部底面
２５  デッキ部材スリット部    
４    根太材
４１  根太材スリット部
６    固定具
６１  固定具つば部
６２  固定具土台部
【図１】
2008075348.tif 000003
【図２】
2008075348.tif 000004
【図３】
2008075348.tif 000005
【図４】
2008075348.tif 000006
【図５】
2008075348.tif 000007
【図６】
2008075348.tif 000008
【図７】
2008075348.tif 000009
【図８】
2008075348.tif 000010
【図９】
2008075348.tif 000011
【図１０】
2008075348.tif 000012
【図１１】
2008075348.tif 000013
【図１２】
2008075348.tif 000014
【図１３】
2008075348.tif 000015
【図１４】
2008075348.tif 000016
【図１５】
2008075348.tif 000017